(57)【要約】【課題】簡単な構成及び工程で、運転状況の変動に容易に対応することができ、反応ガスの流配性及び排水性を向上させて最適な運転状態を実現させることを可能にする。【解決手段】燃料電池１０を構成する発電ユニット１２は、第１金属セパレータ１４、第１電解質膜・電極構造体１６ａ、第２金属セパレータ１８、第２電解質膜・電極構造体１６ｂ及び第３金属セパレータ２０を設ける。第１電解質膜・電極構造体１６ａの第１樹脂枠部材５８には、入口バッファ部６８ａが設けられ、前記入口バッファ部６８ａのエンボス部６９ａと、隣接する第２金属セパレータ１８との間には、隙間が設けられている。【選択図】図３
2014186858.tif 000002
【特許請求の範囲】
【請求項１】
電解質膜の両側に電極が設けられる電解質膜・電極構造体とセパレータとが積層され、一方の電極面に沿って一方の反応ガスを流通させる第１反応ガス流路、他方の電極面に沿って他方の反応ガスを流通させる第２反応ガス流路、及び一対の隣接する前記セパレータ間に沿って冷却媒体を流通させる冷却媒体流路が形成されるとともに、前記一方の反応ガスをセパレータ積層方向に沿って流通させる第１反応ガス連通孔、前記他方の反応ガスを前記セパレータ積層方向に沿って流通させる第２反応ガス連通孔、及び前記冷却媒体を前記セパレータ積層方向に沿って流通させる冷却媒体連通孔が形成される燃料電池であって、
前記電解質膜・電極構造体又は前記セパレータには、少なくとも前記第１反応ガス流路と前記第１反応ガス連通孔との間で且つ発電領域の外方に位置して、前記一方の反応ガスを均等に流通させるための通路を形成する反応ガスバッファ部が設けられるとともに、
前記反応ガスバッファ部に設けられた凸部の先端と、隣接する前記セパレータ又は隣接する前記電解質膜・電極構造体との間には、前記セパレータ積層方向に沿って隙間が設けられることを特徴とする燃料電池。
【請求項２】
請求項１記載の燃料電池において、前記反応ガスバッファ部の前記通路は、前記電解質膜・電極構造体の外周部に一体化される樹脂製枠部材に形成され、前記通路を形成する前記樹脂製枠部材に設けられた凸部の先端と該樹脂製枠部材に隣接する前記セパレータとの間には、前記隙間が形成されることを特徴とする燃料電池。
【請求項３】
電解質膜の両側に電極が設けられる電解質膜・電極構造体とセパレータとが積層され、一方の電極面に沿って一方の反応ガスを流通させる第１反応ガス流路、他方の電極面に沿って他方の反応ガスを流通させる第２反応ガス流路、及び一対の隣接する前記セパレータ間に沿って冷却媒体を流通させる冷却媒体流路が形成されるとともに、前記一方の反応ガスをセパレータ積層方向に沿って流通させる第１反応ガス連通孔、前記他方の反応ガスを前記セパレータ積層方向に沿って流通させる第２反応ガス連通孔、及び前記冷却媒体を前記セパレータ積層方向に沿って流通させる冷却媒体連通孔が形成される燃料電池の運転方法であって、
少なくとも前記第１反応ガス流路と前記第１反応ガス連通孔との間で且つ発電領域の外方に位置して、前記一方の反応ガスを均等に流通させるための通路を形成する反応ガスバッファ部が設けられるとともに、前記セパレータの前記反応ガスバッファ部の裏面側には、前記冷却媒体流路と前記冷却媒体連通孔とを連通する、又は、前記第２反応ガス流路と前記第２反応ガス連通孔とを連通する、流体バッファ部が設けられ、
前記反応ガスバッファ部に供給される前記一方の反応ガスの供給圧と、前記流体バッファ部に供給される前記冷却媒体又は前記他方の反応ガスの供給圧とを調整することにより、前記反応ガスバッファ部に設けられた凸部の先端又は前記流体バッファ部に設けられた凸部の先端と、隣接する前記セパレータ又は前記電解質膜・電極構造体との間に、前記セパレータ積層方向に沿って隙間の大きさが調整されることを特徴とする燃料電池の運転方法。
【請求項４】
請求項３記載の運転方法において、前記一方の反応ガスの供給圧を、前記冷却媒体又は前記他方の反応ガスの供給圧よりも高圧に設定する第１の工程と、
前記冷却媒体又は前記他方の反応ガスの供給圧を、前記一方の反応ガスの供給圧よりも高圧に設定する第２の工程と、
を有し、前記第１の工程と前記第２の工程とを、交互に行うことを特徴とする燃料電池の運転方法。
【発明の詳細な説明】
【技術分野】
【０００１】
本発明は、電解質膜の両側に電極が設けられる電解質膜・電極構造体とセパレータとが積層される燃料電池及びその運転方法に関する。
【背景技術】
【０００２】
例えば、固体高分子型燃料電池は、高分子イオン交換膜からなる固体高分子電解質膜の一方の側にアノード電極が、前記固体高分子電解質膜の他方の側にカソード電極が、それぞれ配設された電解質膜・電極構造体（ＭＥＡ）を、セパレータによって挟持した発電セル（単位セル）を備えている。燃料電池では、通常、数十〜数百の発電セルが積層されて、例えば、車載用燃料電池スタックとして使用されている。
【０００３】
燃料電池では、セパレータの面内に、アノード電極に燃料ガスを流すための燃料ガス流路（以下、反応ガス流路ともいう）と、カソード電極に酸化剤ガスを流すための酸化剤ガス流路（以下、反応ガス流路ともいう）とが設けられている。さらに、発電セル毎又は複数の発電セル毎に、冷却媒体を流すための冷却媒体流路がセパレータの面方向に沿って設けられている。
【０００４】
この種の燃料電池は、セパレータの積層方向に貫通する反応ガス連通孔及び冷却媒体連通孔が前記燃料電池の内部に設けられる、所謂、内部マニホールドを構成する場合がある。その際、一般的に、反応ガス連通孔と反応ガス流路との間には、前記反応ガス流路に反応ガスを均一に分散させて供給するために、バッファ部が設けられている。バッファ部は、例えば、複数個のエンボスや複数本の長尺状凸部間に設けられる複数本の流路溝等により構成されている。
【０００５】
そこで、バッファ部の寸法を可及的に小型化するとともに、軽量且つコンパクトな構成で、所望の発電性能を確保することを目的として、例えば、特許文献１に開示された燃料電池が知られている。
【０００６】
この燃料電池では、セパレータは、反応ガス流路の入口側に位置する略三角形状の入口バッファ部と、前記反応ガス流路の出口側に位置し、略三角形状の出口バッファ部とを備えるとともに、前記入口バッファ部及び前記出口バッファ部の平均圧損は、前記反応ガス流路の平均圧損以下に設定されている。このため、反応ガス流路を流れる反応ガスの流量を均等化することができ、簡単な構成で、反応ガスを反応ガス連通孔から反応ガス流路全面に均一に供給することが可能になる、としている。
【先行技術文献】
【特許文献】
【０００７】
【特許文献１】特開２００９−００４２３０号公報
【発明の概要】
【発明が解決しようとする課題】
【０００８】
ところで、この種のバッファ部では、低負荷時における反応ガスの分配を促進させるために、バッファ部流路の圧損を高くすることが考えられる。しかしながら、バッファ部流路の圧損が上昇すると、高負荷領域では、補機類の過剰な損失が発生してしまい、システム効率が低下するおそれがある。
【０００９】
さらに、発電領域内に生成水が滞留した際には、供給反応ガスを増量させたり、系外に反応ガスを排出させたりする必要がある。これにより、制御が煩雑化するとともに、構成が複雑化するおそれがある。
【００１０】
本発明は、この種の問題を解決するものであり、簡単な構成及び工程で、運転状況の変動に容易に対応することができ、反応ガスの流配性及び排水性を向上させて最適な運転状態を実現させることが可能な燃料電池及びその運転方法を提供することを目的とする。
【課題を解決するための手段】
【００１１】
本発明は、電解質膜の両側に電極が設けられる電解質膜・電極構造体とセパレータとが積層され、一方の電極面に沿って一方の反応ガスを流通させる第１反応ガス流路、他方の電極面に沿って他方の反応ガスを流通させる第２反応ガス流路、及び一対の隣接する前記セパレータ間に沿って冷却媒体を流通させる冷却媒体流路が形成されるとともに、前記一方の反応ガスをセパレータ積層方向に沿って流通させる第１反応ガス連通孔、前記他方の反応ガスを前記セパレータ積層方向に沿って流通させる第２反応ガス連通孔、及び前記冷却媒体を前記セパレータ積層方向に沿って流通させる冷却媒体連通孔が形成される燃料電池及びその運転方法に関するものである。
【００１２】
この燃料電池では、電解質膜・電極構造体又はセパレータには、少なくとも第１反応ガス流路と第１反応ガス連通孔との間で且つ発電領域の外方に位置して、一方の反応ガスを均等に流通させるための通路を形成する反応ガスバッファ部が設けられている。そして、反応ガスバッファ部に設けられた凸部の先端と、隣接するセパレータ又は電解質膜・電極構造体との間には、セパレータ積層方向に沿って隙間が設けられている。
【００１３】
また、この燃料電池では、反応ガスバッファ部の通路は、電解質膜・電極構造体の外周部に一体化される樹脂製枠部材に形成され、前記通路を形成する前記樹脂製枠部材に設けられた凸部の先端と該樹脂製枠部材に隣接するセパレータとの間には、隙間が形成されることが好ましい。
【００１４】
さらに、この運転方法では、少なくとも第１反応ガス流路と第１反応ガス連通孔との間で且つ発電領域の外方に位置して、一方の反応ガスを均等に流通させるための通路を形成する反応ガスバッファ部が設けられるとともに、セパレータの前記反応ガスバッファ部の裏面側には、冷却媒体流路と冷却媒体連通孔とを連通する、又は、第２反応ガス流路と第２反応ガス連通孔とを連通する、流体バッファ部が設けられている。
【００１５】
そして、反応ガスバッファ部に供給される一方の反応ガスの供給圧と、流体バッファ部に供給される冷却媒体又は他方の反応ガスの供給圧とを調整している。これにより、反応ガスバッファ部に設けられた凸部の先端又は流体バッファ部に設けられた凸部の先端と、隣接するセパレータ又は電解質膜・電極構造体との間には、セパレータ積層方向に沿って隙間の大きさが調整される。
【００１６】
さらにまた、この運転方法では、一方の反応ガスの供給圧を、冷却媒体又は他方の反応ガスの供給圧よりも高圧に設定する第１の工程と、前記冷却媒体又は前記他方の反応ガスの供給圧を、前記一方の反応ガスの供給圧よりも高圧に設定する第２の工程と、を有し、前記第１の工程と前記第２の工程とを、交互に行うことが好ましい。
【発明の効果】
【００１７】
本発明によれば、反応ガスバッファ部に設けられた凸部の先端と、隣接するセパレータ又は電解質膜・電極構造体との間には、隙間が設けられている。このため、隙間を介して反応ガスの圧損を低減させることができる。
【００１８】
一方、反応ガスバッファ部の裏面側に供給される他方の反応ガス又は冷却媒体である流体の供給圧を、前記反応ガスバッファ部に供給される反応ガスの供給圧よりも相対的に高く設定する。従って、反応ガスバッファ部は、隣接するセパレータ又は電解質膜・電極構造体に接触し、前記反応ガスバッファ部の流路断面積が減少して前記反応ガスバッファ部の圧損が上昇する。
【００１９】
これにより、反応ガスバッファ部では、一方の反応ガスの流速変化や圧損変化が惹起され、簡単な構成及び工程で、運転状況の変動に容易に対応することが可能になる。このため、反応ガスの流配性及び排水性を向上させることができ、最適な運転状態を実現させることが可能になる。
【図面の簡単な説明】
【００２０】
【図１】本発明の第１の実施形態に係る燃料電池を構成する発電ユニットの要部分解斜視説明図である。
【図２】前記発電ユニットの、図１中、ＩＩ−ＩＩ線断面説明図である。
【図３】前記発電ユニットの、図１中、ＩＩＩ−ＩＩＩ線断面説明図である。
【図４】前記発電ユニットの、図１中、ＩＶ−ＩＶ線断面説明図である。
【図５】前記発電ユニットを構成する第１金属セパレータの一方の面の説明図である。
【図６】前記発電ユニットを構成する第２金属セパレータの一方の面の説明図である。
【図７】前記発電ユニットを構成する第３金属セパレータの一方の面の説明図である。
【図８】前記発電ユニットを構成する第１電解質膜・電極構造体の一方の面の説明図である。
【図９】前記第１電解質膜・電極構造体の他方の面の説明図である。
【図１０】前記発電ユニットを構成する第２電解質膜・電極構造体の一方の面の説明図である。
【図１１】前記第２電解質膜・電極構造体の他方の面の説明図である。
【図１２】本発明の実施形態に係る運転方法を説明する前記発電ユニットの断面図である。
【図１３】前記運転方法が適用される燃料ガス側の圧損の説明図である。
【図１４】前記運転方法を説明する前記発電ユニットの断面図である。
【図１５】前記運転方法が適用される酸化剤ガス側の圧損の説明図である。
【図１６】第１の実施形態と従来例との効果を比較した説明図である。
【図１７】本発明の第２の実施形態に係る燃料電池を構成する発電ユニットの要部分解斜視説明図である。
【図１８】前記発電ユニットの、図１７中、ＸＶＩＩＩ−ＸＶＩＩＩ線断面説明図である。
【図１９】燃料ガス側が高圧の場合の前記発電ユニットの断面説明図である。
【図２０】酸化剤ガス側が高圧の場合の前記発電ユニットの断面説明図である。
【発明を実施するための形態】
【００２１】
図１〜図４に示すように、本発明の第１の実施形態に係る燃料電池１０は、発電ユニット１２を備え、複数の前記発電ユニット１２が水平方向（矢印Ａ方向）又は鉛直方向（矢印Ｃ方向）に沿って互いに積層される。発電ユニット１２は、第１金属セパレータ１４、第１電解質膜・電極構造体（ＭＥＡ）１６ａ、第２金属セパレータ１８、第２電解質膜・電極構造体（ＭＥＡ）１６ｂ及び第３金属セパレータ２０を設ける。
【００２２】
第１金属セパレータ１４、第２金属セパレータ１８及び第３金属セパレータ２０は、例えば、鋼板、ステンレス鋼板、アルミニウム板、めっき処理鋼板、あるいはその金属表面に防食用の表面処理を施した横長形状の金属板により構成される。第１金属セパレータ１４、第２金属セパレータ１８及び第３金属セパレータ２０は、平面が矩形状を有するとともに、金属製薄板を波形状にプレス加工することにより、断面凹凸形状に成形される。なお、セパレータとしては、第１金属セパレータ１４、第２金属セパレータ１８及び第３金属セパレータ２０に代えて、カーボンセパレータを使用することができる。
【００２３】
図１に示すように、発電ユニット１２の長辺方向（矢印Ｂ方向）の一端縁部には、具体的には、第１金属セパレータ１４、第２金属セパレータ１８及び第３金属セパレータ２０の長辺方向の一端縁部には、矢印Ａ方向に互いに連通して、酸化剤ガス、例えば、酸素含有ガスを供給するための酸化剤ガス入口連通孔２２ａ、及び燃料ガス、例えば、水素含有ガスを排出するための燃料ガス出口連通孔２４ｂが設けられる。
【００２４】
発電ユニット１２の長辺方向（矢印Ｂ方向）の他端縁部には、矢印Ａ方向に互いに連通して、燃料ガスを供給するための燃料ガス入口連通孔２４ａ、及び酸化剤ガスを排出するための酸化剤ガス出口連通孔２２ｂが設けられる。
【００２５】
発電ユニット１２の短辺方向（矢印Ｃ方向）の両端縁部には、酸化剤ガス入口連通孔２２ａ側に近接し、矢印Ａ方向に互いに連通して冷却媒体を供給するための一対の冷却媒体入口連通孔２５ａが設けられる。発電ユニット１２の短辺方向（矢印Ｃ方向）の両端縁部には、燃料ガス入口連通孔２４ａ側に近接し、冷却媒体を排出するための一対の冷却媒体出口連通孔２５ｂが設けられる。
【００２６】
図５に示すように、第１金属セパレータ１４の第１電解質膜・電極構造体１６ａに向かう面１４ａには、酸化剤ガス入口連通孔２２ａと酸化剤ガス出口連通孔２２ｂとに連通する第１酸化剤ガス流路２６が形成される。
【００２７】
第１酸化剤ガス流路２６は、矢印Ｂ方向に延在する複数の波状流路溝部（直線状流路溝部でもよい）２６ａを有するとともに、前記第１酸化剤ガス流路２６の入口近傍及び出口近傍には、発電領域の外方に位置して、それぞれ入口バッファ部（反応ガスバッファ部）２８ａ及び出口バッファ部（反応ガスバッファ部）２８ｂが設けられる。入口バッファ部２８ａと出口バッファ部２８ｂとは、それぞれ酸化剤ガスを複数本の波状流路溝部２６ａに対して均等に流通させるための通路を形成しＭＥＡ側に突出する複数のエンボス部２９ａと複数のエンボス部２９ｂとを有する。エンボス部２９ａ、２９ｂは、平面形状で円形、長円形又は直線状等の種々の形状に設定することができる。また、樹脂枠部材側も同様である。
【００２８】
入口バッファ部２８ａと酸化剤ガス入口連通孔２２ａとの間には、ブリッジ部を構成する複数本の入口連結溝３０ａが形成される。出口バッファ部２８ｂと酸化剤ガス出口連通孔２２ｂとの間には、ブリッジ部を構成する複数本の出口連結溝３０ｂが形成される。
【００２９】
図１に示すように、第１金属セパレータ１４の面１４ｂには、一対の冷却媒体入口連通孔２５ａと一対の冷却媒体出口連通孔２５ｂとを連通する冷却媒体流路３２が形成される。冷却媒体流路３２は、第１酸化剤ガス流路２６の裏面形状と後述する第２燃料ガス流路４２の裏面形状とが重なり合って形成される。
【００３０】
冷却媒体流路３２の入口近傍及び出口近傍には、発電領域の外方に位置して、それぞれ入口バッファ部（流体バッファ部）３３ａ及び出口バッファ部（流体バッファ部）３３ｂが設けられる。入口バッファ部３３ａ及び出口バッファ部３３ｂは、酸化剤ガス側の入口バッファ部２８ａと出口バッファ部２８ｂの裏面形状である。入口バッファ部３３ａと出口バッファ部３３ｂとには、複数のエンボス部２９ｃと複数のエンボス部２９ｄとが設けられる。エンボス部２９ｃとエンボス部２９ｄとは、互いに反対方向に突出する。
【００３１】
図６に示すように、第２金属セパレータ１８の第１電解質膜・電極構造体１６ａに向かう面１８ａには、燃料ガス入口連通孔２４ａと燃料ガス出口連通孔２４ｂとを連通する第１燃料ガス流路３４が形成される。第１燃料ガス流路３４は、矢印Ｂ方向に延在する複数の波状流路溝部（直線状流路溝部でもよい）３４ａを有する。
【００３２】
燃料ガス入口連通孔２４ａの近傍には、複数の供給孔部３６ａが形成されるとともに、燃料ガス出口連通孔２４ｂの近傍には、複数の排出孔部３６ｂが形成される。第１燃料ガス流路３４の入口近傍及び出口近傍には、それぞれ平坦部３７ａ及び３７ｂが設けられる。
【００３３】
図１及び図６に示すように、第２金属セパレータ１８の第２電解質膜・電極構造体１６ｂに向かう面１８ｂには、酸化剤ガス入口連通孔２２ａと酸化剤ガス出口連通孔２２ｂとを連通する第２酸化剤ガス流路３８が形成される。第２酸化剤ガス流路３８は、矢印Ｂ方向に延在する複数の波状流路溝部（直線状流路溝部でもよい）３８ａを有する。
【００３４】
第２酸化剤ガス流路３８の入口近傍及び出口近傍には、それぞれ平坦部３９ａ及び３９ｂが設けられる。平坦部３９ａ及び３９ｂは、平坦部３７ｂ及び３７ａの裏面形状である。平坦部３９ａと酸化剤ガス入口連通孔２２ａとの間には、ブリッジ部を構成する複数本の入口連結溝（図示せず）が形成される。平坦部３９ｂと酸化剤ガス出口連通孔２２ｂとの間には、ブリッジ部を構成する複数本の出口連結溝（図示せず）が形成される。
【００３５】
図１に示すように、第３金属セパレータ２０の第２電解質膜・電極構造体１６ｂに向かう面２０ａには、燃料ガス入口連通孔２４ａと燃料ガス出口連通孔２４ｂに連通する第２燃料ガス流路４２が形成される。第２燃料ガス流路４２は、矢印Ｂ方向に延在する複数の波状流路溝部（直線状流路溝部でもよい）４２ａを有する。
【００３６】
燃料ガス入口連通孔２４ａの近傍には、複数の供給孔部４４ａが形成されるとともに、燃料ガス出口連通孔２４ｂの近傍には、複数の排出孔部４４ｂが形成される。図３に示すように、供給孔部４４ａは、第２金属セパレータ１８の供給孔部３６ａよりも内側（燃料ガス流路側）に配置される。図１に示すように、排出孔部４４ｂは、前記第２金属セパレータ１８の排出孔部３６ｂよりも内側（燃料ガス流路側）に配置される。第２燃料ガス流路４２の入口近傍及び出口近傍には、それぞれ平坦部４５ａ及び４５ｂが設けられる。
【００３７】
図７に示すように、第３金属セパレータ２０の面２０ｂには、第２燃料ガス流路４２の裏面形状である冷却媒体流路３２の一部が形成される。第３金属セパレータ２０の面２０ｂには、前記第３金属セパレータ２０に隣接する第１金属セパレータ１４の面１４ｂが積層されることにより、冷却媒体流路３２が一体に設けられる。
【００３８】
冷却媒体流路３２の入口近傍及び出口近傍には、それぞれ平坦部４７ａ及び４７ｂが設けられる。平坦部４７ｂ及び４７ａは、平坦部４５ａ及び４５ｂの裏面形状である。
【００３９】
図１に示すように、第１金属セパレータ１４の面１４ａ、１４ｂには、この第１金属セパレータ１４の外周端縁部を周回して第１シール部材４６が一体成形される。第２金属セパレータ１８の面１８ａ、１８ｂには、この第２金属セパレータ１８の外周端縁部を周回して第２シール部材４８が一体成形されるとともに、第３金属セパレータ２０の面２０ａ、２０ｂには、この第３金属セパレータ２０の外周端縁部を周回して第３シール部材５０が一体成形される。
【００４０】
第１シール部材４６、第２シール部材４８及び第３シール部材５０としては、例えば、ＥＰＤＭ、ＮＢＲ、フッ素ゴム、シリコーンゴム、フロロシリコーンゴム、ブチルゴム、天然ゴム、スチレンゴム、クロロプレーン又はアクリルゴム等のシール材、クッション材、あるいはパッキン材等の弾性を有するシール材が用いられる。
【００４１】
図５に示すように、第１シール部材４６は、第１金属セパレータ１４の面１４ａにおいて、酸化剤ガス入口連通孔２２ａ及び酸化剤ガス出口連通孔２２ｂと、第１酸化剤ガス流路２６との外周を連通する第１凸状シール部４６ａを有する。第１シール部材４６は、図１に示すように、第１金属セパレータ１４の面１４ｂにおいて、冷却媒体入口連通孔２５ａ及び冷却媒体出口連通孔２５ｂと冷却媒体流路３２との外周を連通する第２凸状シール部４６ｂを有する。
【００４２】
図６に示すように、第２シール部材４８は、第２金属セパレータ１８の面１８ａにおいて、供給孔部３６ａ及び排出孔部３６ｂと、第１燃料ガス流路３４とを囲繞してこれらを連通させる第１凸状シール部４８ａを有する。
【００４３】
図１に示すように、第２シール部材４８は、面１８ｂにおいて、酸化剤ガス入口連通孔２２ａ及び酸化剤ガス出口連通孔２２ｂと、第２酸化剤ガス流路３８との外周を連通する第２凸状シール部４８ｂを有する。
【００４４】
第３シール部材５０は、第３金属セパレータ２０の面２０ａにおいて、供給孔部４４ａ及び排出孔部４４ｂと、第２燃料ガス流路４２とを囲繞してこれらを連通する第１凸状シール部５０ａを有する。
【００４５】
図７に示すように、第３シール部材５０は、第３金属セパレータ２０の面２０ｂにおいて、冷却媒体入口連通孔２５ａ及び冷却媒体出口連通孔２５ｂと冷却媒体流路３２との外周を連通する第２凸状シール部５０ｂを有する。
【００４６】
図２に示すように、第１電解質膜・電極構造体１６ａ及び第２電解質膜・電極構造体１６ｂは、例えば、パーフルオロスルホン酸の薄膜に水が含浸された固体高分子電解質膜５２と、前記固体高分子電解質膜５２を挟持するカソード電極５４及びアノード電極５６とを備える。
【００４７】
カソード電極５４は、アノード電極５６及び固体高分子電解質膜５２の平面寸法よりも小さな平面寸法を有する、所謂、段差型ＭＥＡを構成している。なお、カソード電極５４、アノード電極５６及び固体高分子電解質膜５２は、同一の表面積に設定してもよく、また、前記アノード電極５６は、前記カソード電極５４及び前記固体高分子電解質膜５２の表面積よりも小さな表面積を有してもよい。
【００４８】
カソード電極５４及びアノード電極５６は、カーボンペーパ等からなるガス拡散層（図示せず）と、白金合金が表面に担持された多孔質カーボン粒子が前記ガス拡散層の表面に一様に塗布されて形成される電極触媒層（図示せず）とを有する。電極触媒層は、固体高分子電解質膜５２の両面に形成される。
【００４９】
図１〜図４に示すように、第１電解質膜・電極構造体１６ａは、カソード電極５４の終端部外方に位置して固体高分子電解質膜５２の外周縁部に第１樹脂枠部材（樹脂製枠部材）５８が、例えば、射出成形等により一体成形される。なお、予め製造された樹脂製枠部材を接合してもよい。
【００５０】
第２電解質膜・電極構造体１６ｂは、カソード電極５４の終端部外方に位置して固体高分子電解質膜５２の外周縁部に第２樹脂枠部材（樹脂製枠部材）６０が、例えば、射出成形等により一体成形される。なお、予め製造された樹脂製枠部材を接合してもよい。
【００５１】
第１樹脂枠部材５８及び第２樹脂枠部材６０を構成する樹脂材としては、例えば、電気的絶縁性を有する汎用プラスチックの他、エンジニアリングプラスチックやスーパーエンジニアリングプラスチック等が採用される。第１樹脂枠部材５８及び第２樹脂枠部材６０は、例えば、フィルム等により構成してもよい。
【００５２】
第１樹脂枠部材５８のカソード電極５４側の面には、図８に示すように、酸化剤ガス入口連通孔２２ａと第１酸化剤ガス流路２６の入口側との間に位置して（発電領域の外方に位置して）、入口バッファ部（反応ガスバッファ部）６２ａが設けられる。酸化剤ガス出口連通孔２２ｂと第１酸化剤ガス流路２６の出口側との間に位置して（発電領域の外方に位置して）、出口バッファ部（反応ガスバッファ部）６２ｂが設けられる。ここで、発電領域とは、固体高分子電解質膜を挟んで両極に電極触媒層が設けられた領域をいう。
【００５３】
入口バッファ部６２ａは、第１樹脂枠部材５８に一体成形される複数本のライン状凸部６４ａを有し、前記凸部６４ａ間には、入口ガイド流路６６ａが形成される。出口バッファ部６２ｂは、第１樹脂枠部材５８に一体成形される複数本のライン状凸部６４ｂを有し、前記凸部６４ｂ間には、出口ガイド流路６６ｂが形成される。入口バッファ部６２ａ及び出口バッファ部６２ｂには、それぞれ複数のエンボス部６３ａ、６３ｂが形成される。なお、入口バッファ部６２ａ及び出口バッファ部６２ｂは、ライン状凸部又はエンボスのみで構成してもよい。
【００５４】
図９に示すように、第１樹脂枠部材５８のアノード電極５６側の面には、燃料ガス入口連通孔２４ａと第１燃料ガス流路３４との間に位置して（発電領域の外方に位置して）、入口バッファ部（反応ガスバッファ部）（流体バッファ部）６８ａが設けられる。燃料ガス出口連通孔２４ｂと第１燃料ガス流路３４との間に位置して（発電領域の外方に位置して）、出口バッファ部（反応ガスバッファ部）（流体バッファ部）６８ｂが設けられる。
【００５５】
入口バッファ部６８ａは、複数本のライン状凸部７０ａを有するとともに、前記凸部７０ａ間には、入口ガイド流路７２ａが形成される。出口バッファ部６８ｂは、複数本のライン状凸部７０ｂを有するとともに、前記凸部７０ｂ間には、出口ガイド流路７２ｂが形成される。入口バッファ部６８ａ及び出口バッファ部６８ｂには、それぞれ複数のエンボス部６９ａ、６９ｂが形成される。
【００５６】
第２樹脂枠部材６０のカソード電極５４側の面には、図１０に示すように、酸化剤ガス入口連通孔２２ａと第２酸化剤ガス流路３８との間に位置して（発電領域の外方に位置して）、入口バッファ部（反応ガスバッファ部）７４ａが設けられる。酸化剤ガス出口連通孔２２ｂと第２酸化剤ガス流路３８との間に位置して（発電領域の外方に位置して）、出口バッファ部（反応ガスバッファ部）７４ｂが形成される。
【００５７】
入口バッファ部７４ａは、複数本のライン状凸部７６ａを有し、前記凸部７６ａ間には、入口ガイド流路７８ａが形成される。出口バッファ部７４ｂは、複数本のライン状凸部７６ｂを有し、前記凸部７６ｂ間には、出口ガイド流路７８ｂが形成される。入口バッファ部７４ａ及び出口バッファ部７４ｂには、それぞれ複数のエンボス部７５ａ、７５ｂが形成される。
【００５８】
第２樹脂枠部材６０のアノード電極５６側の面には、図１１に示すように、燃料ガス入口連通孔２４ａと第２燃料ガス流路４２との間に位置して（発電領域の外方に位置して）、入口バッファ部（反応ガスバッファ部）（流体バッファ部）８０ａが設けられる。燃料ガス出口連通孔２４ｂと第２燃料ガス流路４２との間に位置して（発電領域の外方に位置して）、出口バッファ部（反応ガスバッファ部）（流体バッファ部）８０ｂが設けられる。
【００５９】
入口バッファ部８０ａは、複数本のライン状凸部８２ａを有し、前記凸部８２ａ間には、入口ガイド流路８４ａが形成される。出口バッファ部８０ｂは、複数本のライン状凸部８２ｂを有し、前記凸部８２ｂ間には、出口ガイド流路８４ｂが設けられる。入口バッファ部８０ａ及び出口バッファ部８０ｂには、それぞれ複数のエンボス部８１ａ、８１ｂが形成される。
【００６０】
発電ユニット１２同士が互いに積層されることにより、一方の発電ユニット１２を構成する第１金属セパレータ１４と、他方の発電ユニット１２を構成する第３金属セパレータ２０との間には、冷却媒体流路３２が形成される。
【００６１】
第１実施形態では、図８及び図９に示すように、第１電解質膜・電極構造体１６ａの第１樹脂枠部材５８のカソード電極５４側の面には、入口バッファ部６２ａ及び出口バッファ部６２ｂが設けられるとともに、アノード電極５６側の面には、入口バッファ部６８ａ及び出口バッファ部６８ｂが設けられる。
【００６２】
発電ユニット１２が組み付けられた状態で、図４に示すように、第１樹脂枠部材５８のエンボス部６３ａの先端と、隣接する第１金属セパレータ１４の面１４ａとの間には、セパレータ積層方向（矢印Ａ方向）に沿って隙間Ｓ１が設けられる。図示しないが、出口側のエンボス部６３ｂにおいても同様である。
【００６３】
図３に示すように、第１樹脂枠部材５８のエンボス部６９ａの先端と、隣接する第２金属セパレータ１８の面１８ａとの間には、セパレータ積層方向（矢印Ａ方向）に沿って隙間Ｓ２が設けられる。出口側のエンボス部６９ｂにおいても、図示しないが、同様である。
【００６４】
図１０及び図１１に示すように、第２電解質膜・電極構造体１６ｂの第２樹脂枠部材６０のカソード電極５４側の面には、入口バッファ部７４ａ及び出口バッファ部７４ｂが形成されるとともに、アノード電極５６側の面には、入口バッファ部８０ａ及び出口バッファ部８０ｂが設けられる。
【００６５】
図４に示すように、第２樹脂枠部材６０のエンボス部７５ａの先端と、隣接する第２金属セパレータ１８の面１８ｂとの間には、セパレータ積層方向（矢印Ａ方向）に沿って隙間Ｓ３が設けられる。なお、出口のエンボス部７５ｂも同様である。
【００６６】
図３に示すように、第２樹脂枠部材６０の入口側のエンボス部８１ａの先端と、隣接する第３金属セパレータ２０の面２０ａとの間には、セパレータ積層方向（矢印Ａ方向）に沿って隙間Ｓ４が設けられる。なお、出口側のエンボス部８１ｂも同様である。
【００６７】
このように構成される燃料電池１０の動作について、以下に説明する。
【００６８】
先ず、図１に示すように、酸化剤ガス入口連通孔２２ａに酸素含有ガス等の酸化剤ガスが供給されるとともに、燃料ガス入口連通孔２４ａに水素含有ガス等の燃料ガスが供給される。さらに、冷却媒体入口連通孔２５ａに純水やエチレングリコール、オイル等の冷却媒体が供給される。
【００６９】
このため、酸化剤ガスは、図４に示すように、酸化剤ガス入口連通孔２２ａから入口バッファ部６２ａを通って第１金属セパレータ１４の第１酸化剤ガス流路２６に供給される。酸化剤ガスの一部は、酸化剤ガス入口連通孔２２ａから第２金属セパレータ１８の第２酸化剤ガス流路３８に導入される。
【００７０】
酸化剤ガスは、図１及び図５に示すように、第１酸化剤ガス流路２６に沿って矢印Ｂ方向（水平方向）に移動し、第１電解質膜・電極構造体１６ａのカソード電極５４に供給されるとともに、第２酸化剤ガス流路３８に沿って矢印Ｂ方向に移動し、第２電解質膜・電極構造体１６ｂのカソード電極５４に供給される。
【００７１】
一方、燃料ガスは、図３に示すように、燃料ガス入口連通孔２４ａから第２金属セパレータ１８の供給孔部３６ａを通って入口バッファ部６８ａに供給される。燃料ガスは、入口バッファ部６８ａを通って第２金属セパレータ１８の第１燃料ガス流路３４に供給される。
【００７２】
燃料ガスの一部は、燃料ガス入口連通孔２４ａから第３金属セパレータ２０の供給孔部４４ａを通って入口バッファ部８０ａに供給される。燃料ガスは、入口バッファ部８０ａを通って第３金属セパレータ２０の第２燃料ガス流路４２に供給される。
【００７３】
燃料ガスは、図１及び図６に示すように、第１燃料ガス流路３４に沿って矢印Ｂ方向に移動し、第１電解質膜・電極構造体１６ａのアノード電極５６に供給されるとともに、第２燃料ガス流路４２に沿って矢印Ｂ方向に移動し、第２電解質膜・電極構造体１６ｂのアノード電極５６に供給される。
【００７４】
従って、第１電解質膜・電極構造体１６ａ及び第２電解質膜・電極構造体１６ｂでは、各カソード電極５４に供給される酸化剤ガスと、各アノード電極５６に供給される燃料ガスとが、電極触媒層内で電気化学反応により消費されて発電が行われる。
【００７５】
次いで、第１電解質膜・電極構造体１６ａ及び第２電解質膜・電極構造体１６ｂの各カソード電極５４に供給されて消費された酸化剤ガスは、出口バッファ部６２ｂ、７４ｂから酸化剤ガス出口連通孔２２ｂに排出される。
【００７６】
第１電解質膜・電極構造体１６ａ及び第２電解質膜・電極構造体１６ｂのアノード電極５６に供給されて消費された燃料ガスは、出口バッファ部６８ｂ、８０ｂに導入される。燃料ガスは、排出孔部３６ｂ、４４ｂを通って燃料ガス出口連通孔２４ｂに排出される。
【００７７】
一方、左右一対の冷却媒体入口連通孔２５ａに供給された冷却媒体は、図１に示すように、冷却媒体流路３２に導入される。冷却媒体は、各冷却媒体入口連通孔２５ａから冷却媒体流路３２に供給され、一旦矢印Ｃ方向内方に沿って流動した後、矢印Ｂ方向に移動して第１電解質膜・電極構造体１６ａ及び第２電解質膜・電極構造体１６ｂを冷却する。この冷却媒体は、矢印Ｃ方向外方に移動した後、一対の冷却媒体出口連通孔２５ｂに排出される。
【００７８】
次いで、第１の実施形態に係る運転方法について、以下に説明する。
【００７９】
燃料電池１０を構成する各発電ユニット１２に供給される燃料ガスの供給圧Ｐan、酸化剤ガスの供給圧Ｐca及び冷却媒体の供給圧Ｐwaが運転状況等に応じて、種々変更される。例えば、燃料電池１０が低負荷運転である際には、燃料ガスの供給圧Ｐanは、酸化剤ガスの供給圧Ｐca及び冷却媒体の供給圧Ｐwaよりも高圧に設定される（第１圧力設定）。
【００８０】
このため、図３に示すように、第２金属セパレータ１８は、弾性を有し、燃料ガスの入口バッファ部６８ａにおいて弾性変形して、燃料ガスの供給圧Ｐanにより第２電解質膜・電極構造体１６ｂ側に圧着される。従って、燃料ガスの入口バッファ部６８ａでは、エンボス部６９ａの先端と前記第２金属セパレータ１８の面１８ａとの間には、隙間Ｓ２が形成されている。これにより、入口バッファ部６８ａの流路断面積が増加し、圧損の上昇が抑制される。なお、発電部では、積層方向において隙間がない。
【００８１】
同様に、第３金属セパレータ２０は、燃料ガスの供給圧Ｐanにより、隣接する発電ユニット１２の第１金属セパレータ１４側に押圧される。このため、燃料ガスの入口バッファ部８０ａでは、エンボス部８１ａの先端と第３金属セパレータ２０の面２０ａとの間には、隙間Ｓ４が形成されている。従って、燃料ガスの入口バッファ部８０ａの流路断面積が増加し、圧損の上昇を抑制することができる。
【００８２】
次いで、燃料ガスの供給圧Ｐanは、酸化剤ガスの供給圧Ｐca及び冷却媒体の供給圧Ｐwaよりも低圧に調整する（第２圧力設定）。これにより、図１２に示すように、第２金属セパレータ１８は、第１電解質膜・電極構造体１６ａ側に弾性変形し、入口バッファ部６８ａを構成するエンボス部６９ａに当接する。このため、入口バッファ部６８ａの流路断面積が減少する。
【００８３】
同様に、第３金属セパレータ２０は、第２電解質膜・電極構造体１６ｂ側に変形し、入口バッファ部８０ａを構成するエンボス部８１ａに当接する。従って、入口バッファ部８０ａの流路断面積が減少する。
【００８４】
そして、上記の第１圧力設定と第２圧力設定とが交互に行われる。図１３に示すように、第１圧力設定により圧損が低下する一方、第２圧力設定により圧損が上昇し、これが交互に繰り返される。これにより、燃料ガス側の入口バッファ部６８ａ、８０ａでは、圧損（アノード圧損）を良好に抑制するとともに、良好な排水効果が得られ、燃料ガスを排出することなく排水効率の向上が図られるという効果が得られる。
【００８５】
また、第１の実施形態では、燃料電池１０が、例えば、高負荷運転している際には、酸化剤ガスの供給圧Ｐcaは、燃料ガスの供給圧Ｐan及び冷却媒体の供給圧Ｐwaよりも高圧に設定される（第３圧力設定）。このため、図４に示すように、第１電解質膜・電極構造体１６ａでは、第１樹脂枠部材５８の入口バッファ部６２ａを構成するエンボス部６３ａの先端と、第１金属セパレータ１４の面１４ａとの間には、隙間Ｓ１が形成されている。
【００８６】
同様に、第２電解質膜・電極構造体１６ｂでは、第２樹脂枠部材６０の入口バッファ部７４ａを構成するエンボス部７５ａの先端と、第２金属セパレータ１８の面１８ｂとの間には、隙間Ｓ３が形成されている。従って、酸化剤ガスの入口バッファ部６２ａ、７４ａの流路断面積が増大し、酸化剤ガスの圧損上昇が抑制される。
【００８７】
次いで、酸化剤ガスの供給圧Ｐcaが、燃料ガスの供給圧Ｐan及び冷却媒体の供給圧Ｐwaよりも低圧に設定される（第４圧力設定）。これにより、図１４に示すように、入口バッファ部６２ａのエンボス部６３ａの先端が、第１金属セパレータ１４の面１４ａに接触するとともに、入口バッファ部７４ａのエンボス部７５ａの先端が、第２金属セパレータ１８の面１８ｂに当接する。このため、酸化剤ガスの入口バッファ部６２ａ、７４ａの流路断面積が減少し、圧損が増加するともに、排水効果が得られる。
【００８８】
図１５に示すように、第３圧力設定により圧損が低下する一方、第４圧力設定により圧損が上昇し、これが交互に繰り返される。これにより、酸化剤ガス側の入口バッファ部６２ａ、７４ａの圧損の上昇を抑制し、且つ、排水効率の向上が図られる。従って、図１６に示すように、第１の実施形態では、バッファ部流路断面積を変化させない従来例に比べ、ＦＣ出力が増加した際、カソード圧損（酸化剤ガス側の圧損）の増加を有効に低減するとともに、補機類の損失を抑制することが可能になるという利点がある。
【００８９】
図１７は、本発明の第２の実施形態に係る燃料電池１００を構成する発電ユニット１０２の要部分解斜視説明図である。なお、第１の実施形態に係る燃料電池１０と同一の構成要素には同一の参照符号を付して、その詳細な説明は省略する。
【００９０】
燃料電池１００は、複数の発電ユニット１０２が矢印Ａ方向に積層される。発電ユニット１０２は、電解質膜・電極構造体１０４を第１金属セパレータ１０６及び第２金属セパレータ１０８で挟持する。
【００９１】
発電ユニット１０２は、矢印Ｂ方向の一端縁部に酸化剤ガス入口連通孔２２ａ、冷却媒体入口連通孔２５ａ及び燃料ガス出口連通孔２４ｂが設けられる。発電ユニット１０２の矢印Ｂ方向の他端縁部には、燃料ガス入口連通孔２４ａ、冷却媒体出口連通孔２５ｂ及び酸化剤ガス出口連通孔２２ｂが設けられる。
【００９２】
第１金属セパレータ１０６の電解質膜・電極構造体１０４に向かう面１０６ａには、酸化剤ガス流路１１０が矢印Ｂ方向に沿って設けられる。酸化剤ガス流路１１０の入口側と出口側とには、入口バッファ部（反応ガスバッファ部）１１２ａと出口バッファ部（反応ガスバッファ部）１１２ｂとが設けられる。
【００９３】
入口バッファ部１１２ａ及び出口バッファ部１１２ｂは、それぞれ複数のエンボス部１１４ａ、１１４ｂを有する。第１金属セパレータ１０６の面１０６ｂには、矢印Ｂ方向に沿って、冷却媒体流路１１６が形成される。
【００９４】
冷却媒体流路１１６の入口側と出口側とには、入口バッファ部（流体バッファ部）１１８ａと出口バッファ部（流体バッファ部）１１８ｂとが設けられる。入口バッファ部１１８ａと出口バッファ部１１８ｂとは、それぞれ複数のエンボス部１２０ａ、１２０ｂを有する。
【００９５】
第２金属セパレータ１０８の電解質膜・電極構造体１０４に向かう面１０８ａには、矢印Ｂ方向に延在して燃料ガス流路１２２が設けられる。燃料ガス流路１２２の入口側と出口側とには、入口バッファ部（反応ガスバッファ部）１２４ａと出口バッファ部（反応ガスバッファ部）１２４ｂとが設けられる。入口バッファ部１２４ａ及び出口バッファ部１２４ｂは、それぞれ複数のエンボス部１２６ａ、１２６ｂを有する。
【００９６】
第２金属セパレータ１０８の面１０８ｂには、矢印Ｂ方向に沿って冷却媒体流路１１６が形成される。冷却媒体流路１１６の入口側と出口側とには、入口バッファ部（流体バッファ部）１２８ａ及び出口バッファ部（流体バッファ部）１２８ｂが設けられる。入口バッファ部１２８ａ及び出口バッファ部１２８ｂは、それぞれ複数のエンボス部１３０ａ、１３０ｂを有する。
【００９７】
第１金属セパレータ１０６の面１０６ａ、１０６ｂには、シール部材１３２が一体化される。第２金属セパレータ１０８の面１０８ａ、１０８ｂには、第２シール部材１３４が一体化される。
【００９８】
電解質膜・電極構造体１０４は、酸化剤ガス側の入口バッファ部１１２ａの一部の領域を構成する突出部１０４ａ及び前記酸化剤ガス側の出口バッファ部１１２ｂの一部の領域を構成する突出部１０４ｂを、必要に応じて設ける。電解質膜・電極構造体１０４は、エンボス部１１４ａ、１１４ｂ、１２６ａ及び１２６ｂが当接する面を平坦形状に設定する。
【００９９】
入口バッファ部１１２ａ及び出口バッファ部１１２ｂは、電解質膜・電極構造体１０４の発電領域ＧＦの外方に設けられる。燃料ガス側の入口バッファ部１２４ａ及び出口バッファ部１２４ｂも、同様に、発電領域ＧＦの外方に設けられる。
【０１００】
アノード電極５６は、カソード電極５４及び固体高分子電解質膜５２の平面寸法よりも小さな平面寸法を有する、所謂、段差型ＭＥＡを構成する。図１８に示すように、燃料電池１００は、複数の発電ユニット１０２が積層された状態では、第１金属セパレータ１０６とこれに隣接する第２金属セパレータ１０８との間には、エンボス部１２０ａ、１３０ａの先端間に隙間Ｓ５が形成される。
【０１０１】
このように構成される第２の実施形態では、先ず、燃料ガスの供給圧Ｐanが、酸化剤ガスの供給圧Ｐca及び冷却媒体の供給圧Ｐwaよりも高圧に設定される。このため、図１９に示すように、第２金属セパレータ１０８は、入口バッファ部１２４ａ及び出口バッファ部１２４ｂが弾性変形して電解質膜・電極構造体１０４から隙間Ｓ５に対応して離間し、エンボス部１３０ａの先端とエンボス部１２０ａの先端とが接触する。従って、燃料ガス側の入口バッファ部１２４ａ及び出口バッファ部１２４ｂの流路断面積が増加し、燃料ガス側の圧損の上昇が抑制される。
【０１０２】
次いで、冷却媒体の供給圧Ｐwaが、燃料ガスの供給圧Ｐan及び酸化剤ガスの供給圧Ｐcaよりも高圧に設定される。これにより、図１８に示すように、第１金属セパレータ１０６及び第２金属セパレータ１０８は、それぞれ電解質膜・電極構造体１０４に接することにより、燃料ガス側の流路断面積が減少する。このため、燃料ガス側では、圧損が上昇するとともに、排水効率の向上が図られる。
【０１０３】
そして、上記の設定圧力の変更が繰り返し行われることにより、実質的に、図１３に示すように、アノード側の圧損上昇の抑制及び排出効率の向上が図られる。特に、低負荷時における良好な運転状態が実現されるという利点がある。
【０１０４】
一方、例えば、高負荷運転時には、酸化剤ガスの供給圧Ｐcaが、燃料ガスの供給圧Ｐan及び冷却媒体の供給圧Ｐwaよりも高圧に設定される。従って、図２０に示すように、酸化剤ガス側の入口バッファ部１１２ａの流路断面積が増加し、前記入口バッファ部１１２ａの圧損の上昇が抑制される。
【０１０５】
次に、冷却媒体の供給圧Ｐwaが、酸化剤ガスの供給圧Ｐca及び燃料ガスの供給圧Ｐanよりも高圧に設定される。これにより、図１８に示すように、カソード側の入口バッファ部１１２ａの流路断面積が減少し、排水効率が向上する。そして、上記の設定圧力の変化を交互に行うことにより、実質的に、図１５に示すような効果が得られる。
【符号の説明】
【０１０６】
１０、１００…燃料電池            １２、１０２…発電ユニット
１４、１８、２０、１０６、１０８…金属セパレータ
１６ａ、１６ｂ、１０４…電解質膜・電極構造体
２２ａ、１１０…酸化剤ガス入口連通孔
２２ｂ…酸化剤ガス出口連通孔      ２４ａ…燃料ガス入口連通孔
２４ｂ…燃料ガス出口連通孔        ２５ａ…冷却媒体入口連通孔
２５ｂ…冷却媒体出口連通孔        ２６、３８…酸化剤ガス流路
２８ａ、３３ａ、６２ａ、６８ａ、７４ａ、８０ａ、１１２ａ、１１８ａ、１２４ａ、１２８ａ…入口バッファ部
２８ｂ、３３ｂ、６２ｂ、６８ｂ、７４ｂ、８０ｂ、１１２ｂ、１１８ｂ、１２４ｂ、１２８ｂ…出口バッファ部
２９ａ〜２９ｄ、６３ａ、６３ｂ、６９ａ、６９ｂ、７５ａ、７５ｂ、８１ａ、８１ｂ、１１４ａ、１１４ｂ、１２０ａ、１２０ｂ、１２６ａ、１２６ｂ、１３０ａ、１３０ｂ…エンボス部
３２、１１６…冷却媒体流路        ３４、４２、１２２…燃料ガス流路
３６ａ、４４ａ…供給孔部          ３６ｂ、４４ｂ…排出孔部
４６、４８、５０、１３２、１３４…シール部材
５２…固体高分子電解質膜          ５４…カソード電極
５６…アノード電極                ５８、６０…樹脂枠部材
【図１】
2014186858.tif 000003
【図２】
2014186858.tif 000004
【図３】
2014186858.tif 000005
【図４】
2014186858.tif 000006
【図５】
2014186858.tif 000007
【図６】
2014186858.tif 000008
【図７】
2014186858.tif 000009
【図８】
2014186858.tif 000010
【図９】
2014186858.tif 000011
【図１０】
2014186858.tif 000012
【図１１】
2014186858.tif 000013
【図１２】
2014186858.tif 000014
【図１３】
2014186858.tif 000015
【図１４】
2014186858.tif 000016
【図１５】
2014186858.tif 000017
【図１６】
2014186858.tif 000018
【図１７】
2014186858.tif 000019
【図１８】
2014186858.tif 000020
【図１９】
2014186858.tif 000021
【図２０】
2014186858.tif 000022